(57)【要約】【課題】本発明は、複数の種類の棒状物が、１つのハウジングに支持された状態で択一的に使用される筆記具状用具を提供することを目的とする。【解決手段】筆記具状用具１の前記ハウジング２は、直線状の軸心を有する複数の棒状物支持貫通孔３３が形成された中実部３を有する。棒状物１０は、前記棒状物支持貫通孔３３に挿入されて前記ハウジング２に支持される。前記楔状部材４は、前記中実部３の前記棒状物支持貫通孔３３を形成する部分と棒状物１０との間に挟み込まれることにより、前記ハウジング２に対して棒状物１０を固定する。【選択図】図１Ｃ
2016002624.tif 000002
【特許請求の範囲】
【請求項１】
棒状物を支持可能な棒状のハウジングと、
前記ハウジングに支持される棒状物と前記ハウジングとの間に挟み込まれて、前記ハウジングに対して棒状物を固定する楔状部材と、を備え、
前記ハウジングは、直線状の軸心を有する複数の棒状物支持貫通孔が形成された中実部を有し、棒状物は、前記棒状物支持貫通孔に挿入されて前記ハウジングに支持され、
前記楔状部材は、前記中実部の前記棒状物支持貫通孔を形成する部分と棒状物との間に挟み込まれることにより、前記ハウジングに対して棒状物を固定する、複数種の棒状物が選択されて使用可能な筆記具状用具。
【請求項２】
前記ハウジングには、前記棒状物支持貫通孔と前記ハウジングの外部空間とを連通するスライド用貫通孔が形成され、
前記楔状部材は、前記中実部の前記棒状物支持貫通孔が形成された部分と棒状物との間に挟み込まれる楔部と、前記楔部に接続され、前記スライド用貫通孔から前記ハウジングの外部空間へ露出する露出部と、を有し、
前記露出部は、前記スライド用貫通孔において前記棒状物支持貫通孔の軸心に沿って移動可能である、請求項１に記載の複数種の棒状物が選択されて使用可能な筆記具状用具。
【請求項３】
前記中実部は、段差部を有し、
前記段差部は、前記楔部の上面に当接可能であって前記棒状物支持貫通孔の軸心に対して傾斜している楔部当接面を備え、
前記楔部の底面は、棒状物の側面に当接可能な棒状物当接面を備え、前記楔部の上面は、前記楔部当接面に当接可能であって前記棒状物支持貫通孔の軸心に対して傾斜しながら前記棒状物支持貫通孔の軸心に沿って延びている、請求項２に記載の複数種の棒状物が選択されて使用可能な筆記具状用具。
【請求項４】
複数の前記棒状物支持貫通孔は、平行に延びている、請求項１〜請求項３のいずれかに記載の複数種の棒状物が選択されて使用可能な筆記具状用具。
【請求項５】
前記中実部は、前記ハウジングの長手方向における一端部から他端部に至るまで延びている、請求項１〜請求項４のいずれかに記載の複数種の棒状物が選択されて使用可能な筆記具状用具。
【請求項６】
前記ハウジングに接続されたクリップ部基部と、前記ハウジングの外面に当接するクリップ部当接部と、前記クリップ部基部から前記クリップ部当接部へハウジングに沿って延びるクリップ部延出部と、を有するクリップ部を備え、
前記ハウジングの長手方向における長さは、１４ｃｍ以上であり、前記ハウジングの長手方向における他端部から前記クリップ部基部までの長さは１２．５ｃｍ以下である、請求項１〜請求項５のいずれかに記載の複数種の棒状物が選択されて使用可能な筆記具状用具。
【請求項７】
前記棒状物は、けがき用の芯及びけがき針である、請求項１〜請求項６のいずれかに記載の複数種の棒状物が選択されて使用可能な筆記具状用具。
【発明の詳細な説明】
【技術分野】
【０００１】
本発明は、けがき用の芯等の棒状物を支持する筆記具状用具に関する。
【背景技術】
【０００２】
建築現場等で用いられるけがき用の用具としては、けがき用の芯を収納可能とする市販のけがき用のノック式シャープペンシルが一般的に用いられている。けがき用のノック式シャープペンシルは、通常の文房具としてのノック式シャープペンシル（特許文献１参照）と同様の構成を有している。具体的には、けがき用のノック式シャープペンシルは、ハウジングとしての軸筒と、芯タンクと、芯保持部を有するチャックと、スプリングと、ノブとを備える。
【０００３】
けがき用のノック式シャープペンシルにおいては、ノブが押されることにより、ハウジングとしての軸筒内で、チャックが前進して芯保持部が開き、芯が一定量繰り出される。また、ノブが押されない状態では、スプリングの付勢力によってチャックが後退し、芯がチャックの芯保持部に挟まれて、芯がチャックに対して固定される。
【０００４】
建築現場等において、作業者が色や濃さの異なる複数のけがき用の芯を使用する場合には、１種類のけがき用の芯を支持する１本のけがき用のノック式シャープペンシルが複数本必要になる。更に、金属材料の表面に傷を付けて線を引くために用いるけがき針を使用する場合には、作業者は、複数のけがき用のノック式シャープペンシルと共に、けがき針を所持する。
【０００５】
このため、衣服のポケットを嵩張らせ、持ち運びを不便にすることから、複数の種類のけがき用の芯やけがき針が１つのハウジングに支持された状態で択一的に使用される用具が求められていた。
【０００６】
一方、色の異なる複数の芯を備える筆記用具として、３色ボールペンが知られている。３色ボールペンは、ハウジングに支持された色の異なる３つの芯を有する。３色ボールペンの各芯は、使用される際に、ハウジングの先端部分に設けられた先端開口部に向けて湾曲して、先端開口部からハウジングの外方へ突出する。（特許文献２参照）
【先行技術文献】
【特許文献】
【０００７】
【特許文献１】特許第４６０１１８５号公報
【特許文献２】特許第４１８３４５２号公報
【発明の概要】
【発明が解決しようとする課題】
【０００８】
けがき用の芯は、外力により折れ易いため、３色ボールペンの芯のように湾曲させて、先端開口部からハウジングの外方へ突出させることはできない。このため、３色ボールペンの構成を、そのままけがき用の用具に応用することはできなかった。
【０００９】
本発明は、複数の種類の棒状物が、１つのハウジングに支持された状態で択一的に使用される筆記具状用具を提供することを目的とする。
【課題を解決するための手段】
【００１０】
本発明は、棒状物を支持可能な棒状のハウジングと、前記ハウジングに支持される棒状物と前記ハウジングとの間に挟み込まれて、前記ハウジングに対して棒状物を固定する楔状部材と、を備え、前記ハウジングは、直線状の軸心を有する複数の棒状物支持貫通孔が形成された中実部を有し、棒状物は、前記棒状物支持貫通孔に挿入されて前記ハウジングに支持され、前記楔状部材は、前記中実部の前記棒状物支持貫通孔を形成する部分と棒状物との間に挟み込まれることにより、前記ハウジングに対して棒状物を固定する、複数種の棒状物が選択されて使用可能な筆記具状用具に関する。
【００１１】
また、前記ハウジングには、前記棒状物支持貫通孔と前記ハウジングの外部空間とを連通するスライド用貫通孔が形成され、前記楔状部材は、前記中実部の前記棒状物支持貫通孔が形成された部分と棒状物との間に挟み込まれる楔部と、前記楔部に接続され、前記スライド用貫通孔から前記ハウジングの外部空間へ露出する露出部と、を有し、前記露出部は、前記スライド用貫通孔において前記棒状物支持貫通孔の軸心に沿って移動可能であることが好ましい。
【００１２】
また、中実部は、段差部を有し、前記段差部は、前記楔部の上面に当接可能であって前記棒状物支持貫通孔の軸心に対して傾斜している楔部当接面を備え、前記楔部の底面は、棒状物の側面に当接可能な棒状物当接面を備え、前記楔部の上面は、前記楔部当接面に当接可能であって前記棒状物支持貫通孔の軸心に対して傾斜しながら前記棒状物支持貫通孔の軸心に沿って延びていることが好ましい。
【００１３】
また、複数の前記棒状物支持貫通孔は、平行に延びていることが好ましい。
【００１４】
また、前記中実部は、前記ハウジングの長手方向における一端部から他端部に至るまで延びていることが好ましい。
【００１５】
また、前記ハウジングに接続されたクリップ部基部と、前記ハウジングの外面に当接するクリップ部当接部と、前記クリップ部基部から前記クリップ部当接部へハウジングに沿って延びるクリップ部延出部と、を有するクリップ部を備え、前記ハウジングの長手方向における長さは、１４ｃｍ以上であり、前記ハウジングの長手方向における他端部から前記クリップ部基部までの長さは１２．５ｃｍ以下であることが好ましい。
【００１６】
また、前記棒状物は、けがき用の芯及びけがき針であることが好ましい。
【発明の効果】
【００１７】
本発明によれば、複数の種類の棒状物が、１つのハウジングに支持された状態で択一的に使用される筆記具状用具を提供することができる。
【図面の簡単な説明】
【００１８】
【図１Ａ】本発明の第１実施形態に係る筆記具状用具１を示す平面図である。
【図１Ｂ】本発明の第１実施形態に係る筆記具状用具１を示す正面図である。
【図１Ｃ】図１ＡのＡ−Ａ線に沿った断面図である。
【図２Ａ】本発明の第１実施形態に係る筆記具状用具１の第１の中実部３１を示す平面図である。
【図２Ｂ】本発明の第１実施形態に係る筆記具状用具１の第１の中実部３１を示す正面図である。
【図２Ｃ】図１ＢのＢ−Ｂ線に沿った断面図である。
【図３Ａ】本発明の第１実施形態に係る筆記具状用具１の第２の中実部３２を示す平面図である。
【図３Ｂ】本発明の第１実施形態に係る筆記具状用具１の第２の中実部３２を示す正面図である。
【図３Ｃ】本発明の第１実施形態に係る筆記具状用具１の第２の中実部３２を示す側面図である。
【図４Ａ】本発明の第１実施形態に係る楔状部材４を示す平面図である。
【図４Ｂ】本発明の第１実施形態に係る楔状部材４を示す正面図である。
【図４Ｃ】本発明の第１実施形態に係る楔状部材４を示す側面図である。
【図５Ａ】本発明の第１実施形態に係るスライダー部５を示す平面図である。
【図５Ｂ】本発明の第１実施形態に係るスライダー部５を示す断面図である。
【図５Ｃ】本発明の第１実施形態に係るスライダー部５を示す側面図である。
【図６】本発明の第１実施形態に係る筆記具状用具１のキャップ部６を示す正面図である。
【図７】本発明の第２実施形態に係る筆記具状用具１Ａを示す断面図である。
【発明を実施するための形態】
【００１９】
以下、本発明の第１実施形態に係る、筆記具状用具１について、図面を参照しながら説明する。図１Ａは、本発明の第１実施形態に係る筆記具状用具１を示す平面図である。図１Ｂは、本発明の第１実施形態に係る筆記具状用具１を示す正面図である。図１Ｃは、図１ＡのＡ−Ａ線に沿った断面図である。図２Ａは、本発明の第１実施形態に係る筆記具状用具１の第１の中実部３１を示す平面図である。図２Ｂは、本発明の第１実施形態に係る筆記具状用具１の第１の中実部３１を示す正面図である。図２Ｃは、図１ＢのＢ−Ｂ線に沿った断面図である。図３Ａは、本発明の第１実施形態に係る筆記具状用具１の第２の中実部３２を示す平面図である。図３Ｂは、本発明の第１実施形態に係る筆記具状用具１の第２の中実部３２を示す正面図である。
【００２０】
図３Ｃは、本発明の第１実施形態に係る筆記具状用具１の第２の中実部３２を示す側面図である。図４Ａは、本発明の第１実施形態に係る楔状部材４を示す平面図である。図４Ｂは、本発明の第１実施形態に係る楔状部材４を示す正面図である。図４Ｃは、本発明の第１実施形態に係る楔状部材４を示す側面図である。図５Ａは、本発明の第１実施形態に係るスライダー部５を示す平面図である。図５Ｂは、本発明の第１実施形態に係るスライダー部５を示す断面図である。図５Ｃは、本発明の第１実施形態に係るスライダー部５を示す側面図である。図６は、本発明の第１実施形態に係る筆記具状用具１のキャップ部６を示す正面図である。
【００２１】
ここで、説明の便宜上、後述のハウジング２の一端部２１からハウジング２の他端部２２へ向かう方向（図１Ｂにおける右方向）を右方向Ｄ１１と定義し、その反対の方向を左方向Ｄ１２と定義し、これらを左右方向Ｄ１と定義する。また、後述の第１の中実部３１から第２の中実部３２へと向かう方向（図１Ｂにおける上方向）を上方向Ｄ２１と定義し、その反対の方向を下方向Ｄ２２と定義し、これらを上下方向Ｄ２と定義する。また、後述の後方延出部４１３から前方延出部４１２へと向かう方向（図４Ａにおける下方向）を前方向Ｄ３１と定義し、その反対の方向を後方向Ｄ３２と定義し、これらを前後方向Ｄ３と定義する。
【００２２】
また、筆記具状用具１のハウジング２に支持される棒状物１０は、作業現場やオフィスや日常生活で使用される細くて長い物である。具体的には、例えば、本実施形態における棒状物１０は、直径２.０ｍｍのけがき用の芯又はけがき針である。
【００２３】
図１Ａ、図１Ｂに示すように、筆記具状用具１は、ハウジング２と、楔状部材４と、スライダー部５と、キャップ部６と、クリップ部７とを有している。
【００２４】
ハウジング２は、第１の中実部３１と第２の中実部３２とから成る中実部３を有し、第１の中実部３１は中実部３の大部分を占めている。ハウジング２の中実部３は、中実部３を上下方向Ｄ２に均等に２分割する平面に関して対称な構成を有している。このため、以下、主に中実部３の上半分の構成についてのみ説明し、中実部３の上半分の構成については、説明を省略する。
【００２５】
中実部３は、ハウジング２の長手方向における一端部２１から他端部２２に至るまで延びている。また、ハウジング２の上下方向Ｄ２及び前後方向Ｄ３から構成される面の断面は、作業者が使用する際に持ち易く、手の内で滑り難く、且つ、ハウジング２の外部からの力に対して高い剛性を有する六角形状を有している。ハウジング２の長手方向における長さは、１４ｃｍである。ハウジング２の長手方向における他端部２２から後述のクリップ部基部７１までの長さは、１２．５ｃｍ以下である。
【００２６】
中実部３の大部分を占める第１の中実部３１は、図２Ａ、図２Ｂに示すように、金属製の棒状を有し、鉄又はアルミのインゴットからの削り出しにより形成されている。中実部３の一端部２１の近傍には、中実部３の一端部２１近傍の周方向に沿って、環状のクリップ接続溝部３１１が形成されている。中実部３の他端部２２の近傍には切欠き部３１２が形成されている。
【００２７】
図２Ａに示すように、切欠き部３１２は、平面視で左右方向Ｄ１に延びる矩形状を有していると共に、図２Ｂに示すように、正面視で左右方向Ｄ１に延び上方向Ｄ２１に開口したコの字型の矩形状を有している。また、切欠き部３１２は、第１の中実部３１の前後方向Ｄ３及び上下方向Ｄ２に平行であって、左右方向Ｄ１において所定の間隔を保持しながら上方向Ｄ２１に延びる２つの側面３１６と、これら２つの側面３１６の間に配置され左右方向Ｄ１及び前後方向Ｄ３に平行な底面３１７と、から構成される。
【００２８】
更に、切欠き部３１２の底面３１７は、平面視で矩形状を有し、上下方向Ｄ２に沿って所定の深さを有するように１対の第１ネジ穴３１３、３１４が形成されている。図２Ａに示すように、第１ネジ穴３１３と第１ネジ穴３１４は、切欠き部３１２の底面３１７において互いに対角な位置関係を有している。また、前後方向Ｄ３における底面３１７の中央位置には、左右方向に延びる開口３１８が形成されている。開口３１８は、棒状物支持貫通孔３３に連通する。
【００２９】
第２の中実部３２は、図３Ａに示すように、平面視で左右方向Ｄ１に延びる矩形状で且つ第１の中実部３１の切欠き部３１２に嵌合する形状を有し、第１の中実部３１と同一の材質で構成されている。第２の中実部３２には、第２の中実部３２を上下方向Ｄ２に貫通するように１対の第２ネジ穴３２３、３２４が形成されており、第２ネジ穴３２３と第２ネジ穴３２４は、第２の中実部３２において平面視で互いに対角の位置にある。
【００３０】
更に、第２の中実部３２には、第２の中実部３２の前後方向Ｄ３の中央位置で且つ第２の中実部３２の左右方向Ｄ１の中央位置に、第２の中実部３２を上下方向Ｄ２に貫通するスライド用貫通孔３２５が形成されている。スライド用貫通孔３２５は、左右方向Ｄ１に延びた矩形を有し、左右方向Ｄ１における後述の露出部４２の長さの約１．６倍の長さを有している。スライド用貫通孔３２５は、棒状物支持貫通孔３３と第１の中実部３１の外部空間とを連通する。スライド用貫通孔３２５を形成する側壁は、図３Ｂ及び図３Ｃに示すように、スライド用貫通孔３２５が下方向Ｄ２２に向かって広がるように形成された段差部３２６を備える。
【００３１】
段差部３２６は、平面視で左右方向Ｄ１に延びる矩形の左端と右端にそれぞれ半円が接続されたような形状、即ち長円形状を有しており、スライド用貫通孔３２５の前後に形成された前後段差部３２７と、スライド用貫通孔３２５の左右に形成された半円状の左右段差部３２８とに分けられる。第２の中実部３２の底面のうち前後段差部３２７の部分は、楔部当接面３２９を有している。楔部当接面３２９は、棒状物支持貫通孔３３の軸心に対して右側から左側に沿って上方向Ｄ２１へ傾斜している。
【００３２】
図３Ｂに示すように、第２の中実部３２の上面は、正面視で、第２の中実部３２の右側から左側に沿って上方向Ｄ２１へ、後述の棒状物支持貫通孔３３の軸心に対して傾斜している。
【００３３】
上記の第１ネジ穴３１３と第２ネジ穴３２３とは、同一の軸心上に在り、また、上記の第１ネジ穴３１４と第２ネジ穴３２４とは、同一の軸心上に在る。第２の中実部３２は、第１の中実部３１の切欠き部３１２に嵌合され、第１ネジ穴３１３と第２ネジ穴３２３とにネジが螺合され、第１ネジ穴３１４と第２ネジ穴３２４とにネジが螺合されて、第１の中実部３１に固定される。
【００３４】
ハウジング２は、中実部３において、中実部３の軸心方向に削り出しによって形成された棒状物支持貫通孔３３を有する。棒状物支持貫通孔３３は、直線状の軸心を有し、ハウジング２の長手方向における一端部２１から他端部２２に至るまで延びている。本実施形態における棒状物支持貫通孔３３の直径は、２．１ｍｍである。棒状物支持貫通孔３３の直径が２．１ｍｍであるのは、棒状物１０の直径が２．０ｍｍであり、棒状物支持貫通孔３３内において棒状物１０を中実部３に対して摺動可能とするためである。棒状物支持貫通孔３３の軸方向における棒状物支持貫通孔３３の長さは、１４ｍｍである。棒状物支持貫通孔３３の長さは、１４ｍｍであるのは、棒状物１０の長さが１４ｍｍであり、棒状物１０全体を棒状物支持貫通孔３３に収容するためである。
【００３５】
ハウジング２における中実部３の上半分の棒状物支持貫通孔３３と中実部３の下半分の棒状物支持貫通孔３３とは、互いに平行な位置関係を有している。図１Ｃ、図２Ｃに示すように、棒状物支持貫通孔３３は、中実部３の上下方向Ｄ２の約半分の位置で且つ中実部３の前後方向Ｄ３の約半分の位置に設けられている。棒状物支持貫通孔３３は、第２の中実部３２付近では、第１の中実部３１と第２の中実部３２とにより形成されており、これ以外の部分では、第１の中実部３１にのみ形成されている。
【００３６】
図４Ａ〜図４Ｃに示すように、楔状部材４は、楔状部材４の下側に位置する楔部４１と、楔状部材４の上側に位置する露出部４２とを有し、図４Ｃに示すように、側面視で凸形状を有する。楔状部材４は、第１の中実部３１と同一の材質で構成されている。
【００３７】
楔部４１は、中央部４１１と、中央部４１１から前方向Ｄ３１に延出した前方延出部４１２と、中央部４１１から後方向Ｄ３２に延出した後方延出部４１３とを有する。中央部４１１の底面は、図４Ｂ、図４Ｃに示すように、棒状物１０の側面に当接可能な棒状物当接面４１４を備えている。棒状物当接面４１４は、図４Ｃに示すように、側面視で孤形状を有している。孤形状を有する棒状物当接面４１４の軸心は、棒状物支持貫通孔３３の軸心と平行の位置関係を有する。
【００３８】
前方延出部４１２及び後方延出部４１３は、第２の中実部３２のスライド用貫通孔３２５を形成する側壁の段差部３２６の前後段差部３２７に配置可能である。また、図４Ｂに示すように、前方延出部４１２及び後方延出部４１３の上面４１５は、楔部当接面３２９に当接可能であり、右側から左側に向かって上がるように、棒状物支持貫通孔３３の軸心に対して傾斜しながら左右方向Ｄ１に延びている。楔部４１は、棒状物支持貫通孔３３の軸心に沿って、左右方向Ｄ１に移動可能である。
【００３９】
露出部４２には、図４Ａ〜図４Ｃに示すように、露出部４２の中央位置に、上方向Ｄ２１に開口して上下方向Ｄ２に沿って所定の深さを有する第３ネジ穴４２１が形成されている。露出部４２の上面は、楔部４１の前方延出部４１２の上面及び後方延出部４１３の上面と平行である。露出部４２は、楔部４１に一体的に接続されており、スライド用貫通孔３２５からハウジング２の外部空間へ露出する。露出部４２は、棒状物支持貫通孔３３の軸心に沿って、スライド用貫通孔３２５を左右方向Ｄ１に移動可能である。
【００４０】
スライダー部５は、図５Ａ〜図５Ｂに示すように、左右方向Ｄ１に延びる矩形を有しており、第１の中実部３１と同一の材質で構成されている。スライダー部５は、その中央付近に、楔状部材４の第３ネジ穴４２１と同一の軸心を有する第４ネジ穴５２１を備える。第４ネジ穴５２１の下部には、第４ネジ穴５２１と連通し楔状部材４の露出部４２の上部と係合可能な接続凹部５１が形成されている。スライダー部５の接続凹部５１が露出部４２の上部に係合し、露出部４２の第３ネジ穴４２１とスライダー部５の第４ネジ穴５２１とにネジが螺合することにより、スライダー部５は、スライド用貫通孔３２５から露出した露出部４２に固定される。スライダー部５は、露出部４２と一体で、棒状物支持貫通孔３３の軸心に沿って左右方向Ｄ１に移動可能である。
【００４１】
キャップ部６は、図６に示すように、一端部が閉鎖され、他端部が開口した筒状のキャップ部壁部６１を有している。キャップ部６の内径は、ハウジング２の一端部２１の外径よりも、僅かに大きく形成されている。キャップ部６は、キャップ部壁部６１によりハウジング２の一端部２１を覆うように、第１の中実部３１に被せられる。これにより、棒状物支持貫通孔３３の左端から棒状物１０が棒状物支持貫通孔３３から飛び出すことを、防止することができる。
【００４２】
クリップ部７は、図１Ａ〜図１Ｃに示すように、ハウジング２を構成する第１の中実部３１のクリップ接続溝部３１１に接続される。クリップ部７は、クリップ部基部７１と、クリップ部延出部７２と、クリップ部当接部７３とを有している。クリップ部基部７１は、側面視で環状形状を有し、クリップ接続溝部３１１に嵌合する。クリップ部延出部７２は、クリップ部基部７１からハウジング２に沿って延びており、平板状を有している。クリップ部当接部７３は、クリップ部延出部７２の右方向Ｄ１１の端縁に位置し、ハウジング２の外周面に当接する。
【００４３】
上記筆記具状用具１は、以下のようにして使用される。
筆記具状用具１を使用するときは、先ず、ハウジング２を構成する中実部３の一端部２１からキャップ部６を取り外し、中実部３の一端部２１において棒状物支持貫通孔３３の左端から、中実部３の棒状物支持貫通孔３３に棒状物１０を挿入する。
【００４４】
次に、中実部３の一端部２１にキャップ部６を被せ、中実部３の他端部２２を一端部２１に対して下側に傾ける。これにより、ハウジング２に支持された棒状物１０は、棒状物支持貫通孔３３内を摺動してハウジング２の他端部２２において、棒状物支持貫通孔３３の右端から突出する。
【００４５】
次に、中実部３の傾きを手で加減し、棒状物１０のハウジング２から突出する長さを調整する。棒状物１０が所望の長さだけハウジング２から突出した状態で、スライダー部５をハウジングの他端部２２側（右方向Ｄ１１）にスライドさせる。このとき、スライダー部５に固定された楔状部材４においては、上面４１５が楔部当接面３２９に対して摺動する。このため、楔状部材４は、棒状物１０の軸心に近づく方向へ移動しながら、ハウジングの他端部２２側（右方向Ｄ１１）に移動する。これにより、ハウジング２に支持された棒状物１０と、中実部３を構成する第２の中実部３２と、の間に挟み込まれる。
【００４６】
これにより、棒状物１０は、ハウジング２から所望の長さだけ突出した状態で、ハウジング２に対して固定され、筆記具状用具１として使用可能な状態となる。
【００４７】
筆記具状用具１を使用しないときは、スライダー部５をハウジングの一端部２１側（左方向Ｄ１２）にスライドさせる。スライダー部５に固定された楔状部材４においては、上面４１５が楔部当接面３２９に対して摺動する。このため、楔状部材４は、棒状物１０の軸心から離間する方向へ移動しながら、ハウジング２の一端部２１側（右方向Ｄ１１）に移動する。
【００４８】
これにより、楔状部材４と棒状物１０との間に空間ができると共に楔状部材４と第２の中実部３２との間に空間ができて、棒状物１０の、ハウジング２に対する固定が解除をされる。従って、棒状物１０は、棒状物支持貫通孔３３内を摺動可能な状態となる。
【００４９】
中実部３の一端部２１を他端部２２に対して下側に傾けると、ハウジング２の他端部２２から突出した棒状物１０は棒状物支持貫通孔３３内を摺動してハウジング２内に完全に収納される。棒状物１０がハウジング２内に完全に収納された状態で、再びスライダー部５をハウジングの他端部２２側（右方向Ｄ１１）にスライドさせて、棒状物１０をハウジング２に対して固定する。
【００５０】
上記構成の本実施形態１に係る筆記具状用具１によれば、以下のような効果を得ることができる。
【００５１】
筆記具状用具１は、棒状物１０を支持可能な棒状のハウジング２と、ハウジングに支持される棒状物とハウジング２との間に挟み込まれて、ハウジング２に対して棒状物１０を固定する楔状部材４とを備え、ハウジング２は、直線状の軸心を有する複数の棒状物支持貫通孔３３が形成された中実部３を有し、棒状物１０は、棒状物支持貫通孔３３に挿入されてハウジング２に支持され、楔状部材４は、中実部３の棒状物支持貫通孔３３を形成する部分と棒状物１０との間に挟み込まれることにより、ハウジング２に対して棒状物１０を固定して、複数種の棒状物１０は選択されて使用可能となる。
【００５２】
この構成により、複数の棒状物１０は、湾曲されることなく筒状のハウジング２に支持され、選択可能となる。また、選択された複数の棒状物１０は、ハウジング２から所望の長さだけ突出した状態でハウジング２に対して固定されて、択一的に使用可能となる。従って、作業者は、１本の筆記具状用具１を所持することで、複数の種類の棒状物を使用することができる。これにより、筆記具状用具１は、作業者の衣服のポケットを嵩張らせることなく、作業者の筆記具状用具１の持ち運びを便利にすることができる。
【００５３】
また、ハウジング２には、棒状物支持貫通孔３３とハウジング２の外部空間とを連通するスライド用貫通孔３２５が形成され、楔状部材４は、中実部３の棒状物支持貫通孔３３が形成された部分と棒状物１０との間に挟み込まれる楔部４１と、楔部４１に接続され、スライド用貫通孔３２５からハウジング２の外部空間へ露出する露出部４２とを有し、露出部４２は、スライド用貫通孔３２５において棒状物支持貫通孔３３の軸心に沿って移動可能である。
【００５４】
この構成により、ハウジング２内の楔状部材４は、ハウジング２の外部空間からの操作により、棒状物支持貫通孔３３の軸心に沿って移動し、これにより、ハウジング２に対して棒状物１０を固定することができる。
【００５５】
また、中実部３は、段差部３２６を有し、段差部３２６は、楔部４１の上面４１５に当接可能であって棒状物支持貫通孔３３の軸心に対して傾斜している楔部当接面３２９を備え、楔部４１の底面は、棒状物１０の側面に当接可能な棒状物当接面４１４を備え、楔部４１の上面４１５は、楔部当接面３２９に当接可能であって棒状物支持貫通孔３３の軸心に対して傾斜しながら棒状物支持貫通孔３３の軸心に沿って延びている。
【００５６】
この構成により、楔状部材４は、棒状物１０の側面に当接しながら、棒状物支持貫通孔３３の軸心に沿って移動できる。これにより、楔状部材４は、中実部と棒状物１０との間に挟み込まれて、ハウジング２に対して棒状物１０を固定できる。また、楔状部材４は、ハウジング２の左右に延びているため、楔状部材４によって棒状物１０がハウジング２に固定されたときに、楔状部材４が棒状物１０を押圧する力を、棒状物当接面４１４の全面に分散させることができ、棒状物１０の劣化や破損を防止することができる。
【００５７】
また、複数の棒状物支持貫通孔３３は、平行に延びている。この構成により、複数の棒状物１０は、互いに接触したり衝突することなく、ハウジングに支持される。これによって、棒状物の破損や劣化を防ぐことができる。
【００５８】
中実部３は、ハウジング２の長手方向における一端部２１から他端部２２に至るまで延びている。このため、外力に対するハウジング２全体の強度が向上する。また、棒状物支持貫通孔３３を、ハウジング２の一端部２１から他端部２２に至るまで形成することができるため、比較的長い寸法を有する棒状物１０を保持することができ、更に、ハウジング２の一端部２１及び他端部２２から棒状物支持貫通孔３３へ、容易に棒状物１０の補充、交換、抜き取りを行うことができる。
【００５９】
また、ハウジング２に接続されたクリップ部基部７１と、ハウジング２の外面に当接するクリップ部当接部７３と、クリップ部基部７１からクリップ部当接部７３へ、ハウジング２に沿って延びるクリップ部延出部７２と、を有するクリップ部７を備え、ハウジング２の長手方向における長さは、１４ｃｍ以上であり、ハウジング２の長手方向における他端部２２からクリップ部基部７１までの長さは１２．５ｃｍ以下である。
【００６０】
この構成により、ハウジング２は、一般に市販されている１４ｃｍ以下のけがき用の芯を支持することができる。また、一般的に１３．５ｃｍ程度の長さの筆記具は、作業着等のポケットから落ちにくい。また、一般的に１４．５ｃｍの長さの筆記具は、作業者の手で持ち易い。従って、ハウジング２を有する筆記具状用具１は、作業服等のポケットに収納された際に、ポケットから落ちにくく、また、作業者の手で持ちやすい。
【００６１】
更に、ハウジング２の長手方向における他端部２２からクリップ部基部７１までの長さは、１２．５ｃｍ以下である。このため、作業服等のポケットの上端縁部にクリップ部７を掛けて、筆記具状用具１をポケットの内側へ収納した際に、ハウジング２の他端部２２を、作業服等のポケットの底部に到達しにくくすることができる。このため、作業服等のポケットの底部にハウジング２の他端部２２が当接することにより筆記具状用具１がポケットの外側へ押し出させることを、生じさせにくくすることができる。
【００６２】
また、棒状物１０は、けがき用の芯及びけがき針である。このため、１本の筆記具状用具１で、色や濃さの異なる複数の種類のけがき用の芯やけがき針を使用することができる。これは、作業者の衣服のポケットを嵩張らせることなく、作業者の筆記具状用具１の持ち運びを便利にする。
【００６３】
また、棒状物１０と棒状物支持貫通孔３３との間には０．１ｍｍの空間が形成されている。このため、棒状物１０は、棒状物支持貫通孔３３内を摺動可能である。また、棒状物１０がけがき用の芯の場合、楔状部材４から棒状物１０に力がかかった際に、棒状物１０は、棒状物支持貫通孔３３内において撓ることができ、折れにくい。
【００６４】
また、図３Ａに示すように、平面視で半円状を有する第２の中実部３２と、左右段差部３２８と、第１の中実部３１の切欠き部３１２の底面３１７と、によって構成された空間３０（図１Ｃ参照）においては、棒状物支持貫通孔３３において芯から出される削り屑等を溜めることができる。このため、貫通孔において芯が摺動しにくくなることを生じさせにくくすることができる。
【００６５】
以下、本発明の第２実施形態に係る、筆記具状用具１Ａについて、図面を参照しながら説明する。図７は、本発明の第２実施形態に係る筆記具状用具１Ａを示す断面図である。
【００６６】
第２実施形態では、図７に示すように、第１の中実部３１Ａは、３つ棒状物支持貫通孔３３Ａ、３３Ａ、３５Ａを有する点において、第１実施形態とは異なる。これ以外の構成については、第１実施形態と同様であるため、同様の部材については、同一の符号で図示し、説明を省略する。
【００６７】
第２実施形態において、第１の中実部３１Ａには、３つの棒状物支持貫通孔３３Ａ、３３Ａ、３５Ａが形成されている。棒状物支持貫通孔３３Ａ、３５Ａは、直線状の軸心を有し、ハウジング２Ａの長手方向における一端部から他端部Ａに至るまで延びて、互いに平行な位置関係を有している。また、３つの棒状物支持貫通孔３３Ａ、３３Ａ、３５Ａは、側面視で、棒状物支持貫通孔３３Ａ、３３Ａ、３５Ａの各軸心によって三角形状を成すように、第１の中実部３１Ａの中央寄りに位置している。棒状物支持貫通孔３５Ａの直径は、他の２つの棒状物支持貫通孔３３Ａの直径よりも大きく形成されており、本実施形態では３．１ｍｍである。
【００６８】
この構成により、筆記具状用具１Ａは、３つの棒状物１０Ａが１つのハウジング２Ａに支持された状態で、３つの棒状物１０Ａを択一的に使用可能にする。筆記具状用具１Ａは、２種類の異なる直径を有する棒状物１０Ａが１つのハウジング２Ａに支持された状態で、２種類の異なる直径を有する棒状物１０Ａを択一的に使用可能にする。
【００６９】
本発明は、上述した実施形態に限定されることはなく、特許請求の範囲に記載された技術的範囲において変形が可能である。例えば、筆記具状用具の各部の形状、寸法や構成等は、本実施形態における筆記具状用具１、１Ａの各部の形状、寸法や構成等に限定されない。例えば、第１実施形態、第２実施形態において、上下方向Ｄ２及び前後方向Ｄ３に平行な断面は、六角形状を有していたが、この構成に限定されず、八角形状、１２角形状、円形状、四角形等の形状を有していても良い。
【００７０】
また、中実部の大部分を占める第１の中実部は、鉄又はアルミのインゴットからの削り出しにより形成されていたが、これに限定されない。第１の中実部は、他の金属で構成されてもよく、また、他の方法、例えば、鋳造法により成形されても良い。また、棒状物１０は、作業現場やオフィスや日常生活で使用される細くて長い物であり、具体的には、けがき用の芯又はけがき針であったが、これに限定されない。例えば、ポンチ、爪楊枝、ボールペンの芯、針等であってよい。
【符号の説明】
【００７１】
１、１Ａ  筆記具状用具
２、２Ａ  ハウジング
３  中実部
４  楔状部材
５  スライダー部
６  キャップ部
７  クリップ部
１０、１０Ａ  棒状物
２１、２１Ａ  ハウジングの一端部
２２、２２Ａ  ハウジングの他端部
３０  空間
３１、３１Ａ  第１の中実部
３２  第２の中実部
３３、３３Ａ、３５Ａ  棒状物支持貫通孔
４１  楔部
４２  露出部
５１  接続凹部
６１  キャップ部壁部
７１  クリップ部基部
７２  クリップ部延出部
７３  クリップ部当接部
３１１  クリップ接続溝部
３１２  切欠き部
３１３、３１３Ａ、３１４、３１５Ａ  第１ネジ穴
３１６  側面
３１７  底面
３２３、３２４  第２ネジ穴
３２５  スライド用貫通孔
３２６  段差部
３２７  前後段差部
３２８  左右段差部
３２９  段差部当接面
４１１  中央部
４１２  前方延出部
４１３  後方延出部
４１４  棒状物当接面
４１５  上面
４２１  第３ネジ穴
５２１  第４ネジ穴
Ｄ１  左右方向
Ｄ２  上下方向
Ｄ３  前後方向
【図１Ａ】
2016002624.tif 000003
【図１Ｂ】
2016002624.tif 000004
【図１Ｃ】
2016002624.tif 000005
【図２Ａ】
2016002624.tif 000006
【図２Ｂ】
2016002624.tif 000007
【図２Ｃ】
2016002624.tif 000008
【図３Ａ】
2016002624.tif 000009
【図３Ｂ】
2016002624.tif 000010
【図３Ｃ】
2016002624.tif 000011
【図４Ａ】
2016002624.tif 000012
【図４Ｂ】
2016002624.tif 000013
【図４Ｃ】
2016002624.tif 000014
【図５Ａ】
2016002624.tif 000015
【図５Ｂ】
2016002624.tif 000016
【図５Ｃ】
2016002624.tif 000017
【図６】
2016002624.tif 000018
【図７】
2016002624.tif 000019